(57)【特許請求の範囲】
【請求項１】
基板を伸張して保持する基板ハンガーに用いるクリップであって、ホルダーとホルダーに回動自在に取り付けられた回動部材よりなるクリップにおいて、
ホルダーは基板押さえ部を有し、
回動部材は、回動方向に付勢されると共に、基板固定位置及び基板開放位置でストッパーにて静止可能なるよう規制された上、ホルダー外方に突出するレバーと、基板押さえ部と、基板開放部とを、
回動部材の基板押さえ部の同部材の回転軸からの距離が、回動部材の基板開放部の同部材の回転軸からの距離より遠距離となるようにして設け、
回動部材の基板押さえ部は、基板固定位置では、ホルダーの基板押さえ部に対向して、基板を挟持できる間隔に狭まり、基板開放位置では、退避して、ホルダーの基板押さえ部との間隔が広がることにより基板の保持開放を行うことを特徴とする基板取付クリップ。
【請求項２】
回動部材の基板押さえ部がギヤ状の歯とされたことを特徴とする請求項１記載の基板取付クリップ。
【発明の詳細な説明】
【０００１】
【発明の属する技術分野】
本発明は、薄いプリント基板にメッキを行うときに利用する基板保持枠に用いられる基板取付リップに関するものである。
【０００２】
【従来の技術】
従来メッキ用の基板保持枠に利用されていた基板保持クリップは事務用クリップのごとき形状のものをメッキ液に適する材質に変更したものであった。この基板保持クリップは、基板の着脱が容易であること、挟んだ基板をしっかりホールドし基板の歪みを発生させないことが必要条件である。
【０００３】
しかし、従来の基板取付クリップは、上記２つの必要条件の内、１つの条件しか満足できなかった。すなわち、基板着脱が容易であると、基板ホールドがしっかりできず、基板ホールドをしっかりさせ、基板に歪みを生じさせないようにすると基板着脱が面倒であるという難点を有していた。
【０００４】
【発明が解決しようとする課題】
本発明は、基板着脱が容易であると共に、基板ホールドがしっかりした基板取付クリップを提供せんとするもので、更に基板の取付や除去作業の際、基板取付クリップから手を離して作業ができ、より作業効率を向上させることが可能である基板取付クリップをも提供せんとするものである。
【０００５】
【課題を解決するための手段】
上記課題を解決するため、第１の発明は、基板取付クリップに次の手段を採用する。
第１に、基板を伸張して保持する基板ハンガーに用いるクリップであって、ホルダーとホルダーに回動自在に取り付けられた回動部材よりなるクリップとする。
第２に、ホルダーは基板押さえ部を有する。
第３に、回動部材は、回動方向に付勢されると共に、基板固定位置及び基板開放位置でストッパーにて静止可能なるよう規制された上、ホルダー外方に突出するレバーと、基板押さえ部と、基板開放部とを、回動部材の基板押さえ部の同部材の回転軸からの距離が、回動部材の基板開放部の同部材の回転軸からの距離より遠距離となるようにして設ける。
【０００６】
第４に、回動部材の基板押さえ部は、基板固定位置では、ホルダーの基板押さえ部に対向して、基板を挟持できる間隔に狭まり、基板開放位置では、退避して、ホルダーの基板押さえ部との間隔が広がることにより基板の保持開放を行う。
【０００７】
第２の発明は、第１の発明における、回動部材の基板押さえ部がギヤ状の歯とされたことを特徴とする基板取付クリップである。
【０００８】
【発明の実施の形態】
以下、図面に従って、実施例と共に本発明の実施の形態について説明する。図１は基板取付クリップ１の側面図で、図２は同平面図であり、図３は同断面図である。図３で示されるように基板取付クリップ１は、ホルダー２と回動部材３とスプリングガイドピン４とスプリング５及び回動部材３及びスプリングガイドピン４の回転軸６，７の部材からなる。
【０００９】
基板取付クリップ１に利用されるこれらの部材は、メッキ液に浸されることに適する材質であればよいが、実施例では最適とされるステンレス製の部材を利用している。
【００１０】
ホルダー２は、ステンレス板を凵字状に曲折したものであって、底面８に付近に基板挿入用の切欠部９を形成している。図１及び図３中矢印は基板挿入方向を示しており、図１中符号９は基板ガイド舌片であり、基板ガイド舌片９の奥方が基板押さえ部２３となる。この基板押さえ部２３は実施例によれば平板状のものであるが、ギヤ歯状のものとすることもできる。
【００１１】
符号１０は、基板保持枠（図示しない）への取付片であり、実施例の取付片１０は、基板保持枠の平板部に取り付けて使用するものであるので、図２に示すように外方向に直角に開いた形状に曲折されているが、基板保持枠を挟み込んで取り付ける場合には取付片１０は直線的に形成される。
【００１２】
回動部材３は、ギヤ状の歯の形成された基板押さえ部１３とホルダー２の外方に突出するレバー１４とストッパー片１５とスプリング取付部１６とが形成されたものである。基板押さえ部１３は回転軸６から遠距離の位置に幅広に形成し、回転方向右側（図３中基板押さえ部１３の左上方位置）の解除位置は基板開放部１７として回転軸６から短距離の位置に幅狭に形成している。
【００１３】
回動部材３は、ホルダー側壁１１、１２間に渡された回転軸６に回動自在に装着されている。実施例での回動部材３の基板押さえ部１３はギヤ状の歯を形成したものであるが、第１の発明のようにこれに限定されるものではない。
【００１４】
基板押さえ部１３の実施例でのギヤ状の歯の断面形状は山形状であり、ギヤ状の歯の厚さは４ミリメートル程度である。尚、ギヤ状の歯の厚さは適宜選択すればよいし、断面形状も任意である。
【００１５】
回動部材３の基板押さえ部１３を、基板押さえ時には図５に示されるようにホルダー２の基板押さえ部２３に対向して基板を挟持できる間隔に狭まり、基板開放時には図４に示されるように退避し、基板開放部１７がホルダー２の基板押さえ部２３と対向し、両者の間の空間は広がる。
【００１６】
ホルダー２の外方に突出する回動部材３のレバー１４を操作すことにより回動部材が回転軸６を中心に回転し、基板押さえ部１３はホルダー２の基板押さえ部２３に当接離間する。
【００１７】
回動部材３は回動方向に付勢されており、基板固定位置及び基板開放位置でストッパー片１５にて静止可能なるよう規制されている。回動部材３を付勢するのはスプリング５であり、スプリング５は、スプリングガイドピン４と回動部材３のスプリング取付部１６間に取り付けられている。尚、スプリングガイドピン４は回転軸７に回転自在に装着されている。
【００１８】
以下、図４及び図５に基づいて、基板取付クリップ１の利用方法について説明する。図４に示されるようにレバー１４を図中左方に回転させると、回動部材３も左側に回転する。ストッパー片１５がスプリングガイドピン７に当接するまでスプリング５の付勢を受けて回転を継続し、スプリングガイドピン７により回転を停止させられ、静止する。
【００１９】
このとき回動部材３の基板押さえ部１３は図中右方に退避し、回動部材３と基板ガイド舌片９及びホルダー２の基板押さえ部２３の間隔は広がる。この状態は、基板挿入前及び基板取り外し時の状態である。
【００２０】
この状態で基板を基板ガイド舌片９と回動部材３の間に挿入する。その後、図５に示すようにレバー１４を図中右方へと回転させる。同時に回動部材３も右方に回転し、ストッパー片１６がホルダー４の底面８に当接するまでスプリング５の付勢を受けて回転を継続し、底面８により回転を停止させられ、静止する。このとき回動部材３の基板押さえ部１３がホルダー２の基板押さえ部２３に対向し、両者の間隔が狭まり、基板を挟持することができるのである。
【００２１】
図示の実施例での基板取付クリップ１は、基板を図中左方より挿入する例を描いているが、基板保持枠で利用される場合には、基板保持枠の上下左右に取り付けられる場合がある。何れの場合にも取付方向を変更することにより利用可能となる。
【００２２】
【発明の効果】
本発明は、ホルダーに基板押さえ部を有すると共に、回動部材には、基板押さえ部と基板開放部を設けると共にホルダー外方に突出するレバーを形成し、回動部材のレバーを操作すことにより回動部材を回転軸を中心に回転させて、基板の保持開放を行うものであるので、簡単な操作で基板を基板保持枠に取り付けることが可能となった。
【００２３】
又、回動部材が回動方向に付勢されており、基板固定位置及び基板開放位置でストッパーにて静止可能なるよう規制されているので基板の取付や除去作業の際、基板取付クリップから手を離して作業ができ、作業効率を向上させることができた。
【００２４】
請求項２記載の発明の効果ではあるが、回動部材の基板押さえ部がギヤ状の歯とされたため基板をしっかり基板保持枠に取り付けることが可能となった。
【図面の簡単な説明】
【図１】基板取付クリップの側面図
【図２】基板取付クリップの底面図
【図３】内部機構を示す断面説明図
【図４】開いた状態を示す断面説明図
【図５】基板保持状態を示す断面説明図
【符号の説明】
１．．．．．基板取付クリップ
２．．．．．ホルダー
３．．．．．回動部材
４．．．．．スプリングガイドピン
５．．．．．スプリング
６，７．．．回転軸
８．．．．．底面
９．．．．．基板ガイド舌片
１０．．．．取付片
１１，１２．ホルダー側壁
１３，２３．基板押さえ部
１４．．．．レバー
１５．．．．ストッパー片
１６．．．．スプリング取付部
１７．．．．基板開放部
【図１】
0004766216.tif 000002
【図２】
0004766216.tif 000003
【図３】
0004766216.tif 000004
【図４】
0004766216.tif 000005
【図５】
0004766216.tif 000006